(57)【要約】【課題】記録紙残量に関わりなく、加えて記録紙の最大積載量によらず、フラッパ端部とスナバーの制止部との離間幅を最小化して、分離爪への記録紙のかかり量を一定とする。【解決手段】記録紙１ａを支持し、回動支点軸１３を中心に回動可能に設けられたフラッパ５と、フラッパ５に積載された記録紙１ａを送り出す給紙ローラ７と、フラッパ５を給紙ローラ７に向けて付勢するスプリング９と、フラッパ５から送り出された記録紙１ａを一枚ずつ分離する分離爪６ａ・６ａと、を有する給紙装置１０において、分離爪６ａ・６ａは、フラッパ５の回動に連動するように設けられ、フラッパ５の回動方向と分離爪６ａ・６ａの回動方向とが対向するように配置される。【選択図】  図４
2004269139.tif 000002
【特許請求の範囲】
【請求項１】
記録紙を支持し、回動支点を中心に回動可能に設けられた記録紙積載手段と、前記記録紙積載手段に積載された記録紙を送り出す給送手段と、前記記録紙積載手段を前記給送手段に向けて付勢する付勢手段と、前記記録紙積載手段から送り出された記録紙を一枚ずつ分離する分離手段と、を有する給紙装置において、
前記分離手段は、前記記録紙積載手段の回動に連動するように設けられる、ことを特徴とする給紙装置。
【請求項２】
前記分離手段は、回動支点を中心に回動可能に設けられた爪部材から構成され、前記記録紙積載手段の回動方向と爪部材の回動方向とが対向するように配置される、ことを特徴とする請求項１に記載の給紙装置。
【請求項３】
前記爪部材を前記記録紙積載手段側へ付勢する第二付勢手段を設ける、ことを特徴とする請求項２に記載の給紙装置。
【発明の詳細な説明】
【０００１】
【発明の属する技術分野】
本発明は、ファクシミリ機、コピー機、プリンタ、等の画像形成装置に備える給紙装置に関する。
【０００２】
【従来の技術】
ファクシミリ機、コピー機、プリンタ、及びそれらの機能のうち、少なくとも二つ以上の機能を備える複合機などの画像形成装置に備える給紙装置には、着脱可能の給紙カセットが設けられる。この給紙装置において、給紙カセットに収納された記録紙は、給紙ローラと記録紙の分離手段としての分離爪との協働により、一枚ずつ分離されて記録部への送り出される。
このような給紙装置の一例について、図６を用いて説明する。図６において、給紙方向を基準として方向を規定し、給紙方向と平行な方向を前後方向、給紙方向を含む水平面内で給紙方向と直交する方向を左右方向とする。
図６に示されるように、フラッパ２５は、給紙カセット２２のケーシング２８の底面部に設ける回動支点軸３０回りに、回動可能に設けられる。このフラッパ２５（の自由端側）は、スプリング２９により給紙ローラ２７に向けて付勢され、積載されている記録紙２１を給紙ローラ２７に押し当てている。そして、この給紙ローラ２７を作動させ、最上位にある記録紙２１に給送力を加えて送り出している。給紙ローラ２７は、大径部２７ａと小径部とを有しており、大径部２７ａが記録紙２１に当接すると給送が行われ、この記録紙２１が給紙ローラ２７の給送方向下流側に配置される搬送ローラ（図示せず）まで搬送されると、この記録紙２１に小径部が対向して給紙ローラ２７による給送が停止される。
スナバー２６は、給紙カセット２２のケーシング２８に回動可能に設けられ、その回動方向はフラッパ２５と同方向となっている。スナバー２６は、最上位の記録紙２１の前端（給送方向下流端）の両隅部を係止する分離爪２６ａ・２６ａと、この分離爪２６ａから略直角に垂下され、記録紙２１の給送方向の移動を制止する制止部２６ｂと、を備えている。
この給紙装置において、ユーザよりコピーボタンが押下されたり、外部のファクシミリやＰＣから送られてきたデータを受信すると、給紙ローラ２６が回転を開始し、フラッパ２５に積載されている最上位の記録紙を送り出す。この給送力を与えられた記録紙は、スナバー２６との協働により、一枚ずつ分離されて送り出される。
【０００３】
以上構成の給紙装置においては、次のような要因により給紙不良が発生する。第一に、フラッパ２５の回動中心がケーシング２８底面にあるため、記録紙の減少によるフラッパ２５の上昇にしたがって、分離爪２６ａ・２６ａの制止部２６ｂとフラッパ２５先端（前端）との間に、隙間が形成される。
第二に、五百枚程度収納する大容量給紙カセットのように、収納枚数が増加すると、フラッパ２５を押し上げるスプリング２９の押上力が強くなって、記録紙間に作用する静止摩擦力が強くなる。つまり、給紙ローラ２６による記録紙２１の給送時に、複数枚が同時に繰り出されることになる。
これらの理由により、複数枚の記録紙２１が、制止部２６ｂとフラッパ２５先端間の隙間に、回り込んでしまう。そして、給紙不良が発生することになる。
前記特許文献１に示される技術もこの課題の解決を意図したものであるが、給紙カセットの大容量化に対しては、フラッパ２５の回動による前記隙間の拡大を防止できない。
【０００４】
このような給紙装置の一例としては、例えば特許文献１に示される技術がある。
図７に示すように、特許文献１に示す技術では、スナバー３６が最下位置（記録紙束２１の満紙状態）にあるとき、スナバー３６の制止部３６ｂが上下方向に対して傾斜するように、スナバー３６を構成している。そして、記録紙の積載がほとんど無くなった状態においても、フラッパ２５端部と制止部３６ｂとの離間幅が、前記従来構成（制止部３６ｂが上下方向に対して平行）の場合に比して、短縮されるようにしている。したがって、給紙不良の改善が図られている。
【０００５】
【特許文献１】
特開平７−２９１４７５号公報
【０００６】
【発明が解決しようとする課題】
前記特許文献１に示す技術では、制止部３６ｂを上下方向に対して傾斜させる構成としているが、フラッパ２５前端の回動軌跡は円弧であるので、フラッパ２５端部と制止部３６ｂとの離間は必ず発生する。
特に、記録紙の積載量を多量（例えば５００枚以上）とする給紙カセットを構成すると、フラッパ２５の傾斜角度の変化が通常の積載量（例えば２５０枚程度）の場合に比して、大きなものとなる。このとき、減紙状態のフラッパ２５の傾斜角度に合わせて制止部３６ｂの傾斜角度を設定しても、フラッパ２５の回動範囲が広いので、フラッパ２５端部と制止部３６ｂとの離間幅が無視できなくなる領域（フラッパ２５の回動域）が、広く生じてしまう。フラッパ２５端部と制止部３６ｂとの離間幅が一定幅以上となると、前述したように、給紙不良の発生源として無視できないのである。
そこで本発明は、記録紙残量に関わりなく、加えて記録紙の最大積載量によらず、フラッパ２５端部とスナバー２６の制止部２６ｂ（または制止部３６ｂ）との離間幅を最小化して、分離爪２６ａへの記録紙のかかり量を一定とする給紙装置を提供する。
【０００７】
【課題を解決するための手段】
本発明の解決しようとする課題は以上の如くであり、次に該課題を解決するための手段を説明する。
即ち、請求項１においては、記録紙を支持し、回動支点を中心に回動可能に設けられた記録紙積載手段と、前記記録紙積載手段に積載された記録紙を送り出す給送手段と、前記記録紙積載手段を前記給送手段に向けて付勢する付勢手段と、前記記録紙積載手段から送り出された記録紙を一枚ずつ分離する分離手段と、を有する給紙装置において、前記分離手段は、前記記録紙積載手段の回動に連動するように設けられるので、
作用としては、記録紙積載手段の回動に応じて、分離手段が追従して移動することとなる。そして、記録紙積載手段と分離手段との離間幅が増大することがなく、記録紙積載手段の回動位置によらず、記録紙上端への分離手段の掛かり量が一定に保たれる。また、以上の作用は、記録紙積載手段の記録紙の最大積載量によらない。
効果としては、記録紙の残量に関わりなく、記録紙の最大積載量によらず、給紙不良が発生せず、良好に記録紙を給紙することが可能となる。
【０００８】
請求項２においては、前記分離手段は、回動支点を中心に回動可能に設けられた爪部材から構成され、前記記録紙積載手段の回動方向と爪部材の回動方向とが対向するように配置されるので、
作用としては、記録紙積載手段が記録紙の減少に応じて上方に回動すると、分離手段が記録紙積載手段の上端を押さえ込むように移動するものとなる。
効果としては、記録紙積載手段と分離手段との離間幅が増大することがない。
【０００９】
請求項３においては、前記爪部材を前記記録紙積載手段側へ付勢する第二付勢手段を設けるので、
作用としては、分離手段が常時記録紙積載手段側へ付勢されて、記録紙と分離手段との当接が外れることがない。
効果としては、分離手段を給紙方向で回動する構成としながら、記録紙の制止が確実に行われるものとなっている。
【００１０】
【発明の実施の形態】
以下、本発明の実施の形態に係る給紙装置を図面に基づき具体的に説明する。なお、本実施の形態に係る給紙装置は本発明の一例にすぎず、本発明の構成がこの給紙装置に限定されるものでないことは当然である。
【００１１】
まず、第一の実施の形態である給紙装置１０について説明する。
図１に示すように、給紙装置１０は、記録紙束１を収納する給紙カセット２と、給紙カセット２を装着するカセット受け３とからなる。図１において、給紙カセット２は、カセット受け３より右方向（図中左下方向）に引き出し可能とされる。
給紙装置１０は、例えばファクシミリ機４０に備える給紙手段として備えられるものであり、給紙装置１０の上方には、感光ドラムや定着器等を備える画像記録部４１が配設される。そして、給紙装置１０内に収納される記録紙が、後述する給紙ローラ７により、画像記録部４１に向けて給紙される。
なお、以下において、給紙方向Ａを基準に方向を規定し、給紙方向と平行な方向を前後方向、給紙方向Ａを含む水平面内で、給紙方向と直交する方向を左右方向とする。また、給紙方向を含む水平面に垂直な方向を上下方向と規定している。
また、給紙方向下流側を前側と表現し、給紙方向下流側を後側と表現する。そして、カセット受け３が引き出される方向は左右方向となり、それに対して水平面内で垂直な方向は前後方向となる。
【００１２】
図２に示すように、給紙カセット２のケーシング８内には、記録紙１ａを積載した記録紙束１が載置されるフラッパ５と、フラッパ５の記録紙束１を係止するスナバー６とが設けられると共に、フラッパ５の上方には、記録紙束１の最上層の記録紙を繰り出すための給紙ローラ７が設けられている。給紙ローラ７は、カセット受け３側に設けられている。
ここで、フラッパ５は、記録紙束１を支持し、回動支点軸１３を中心として回動可能に設けられた記録紙積載手段である。また、給紙ローラ７は、記録紙積載手段に積載された記録紙１ａを送り出す給送手段である。
なお、給紙ローラ７による記録紙１ａの給紙方向は、図２、図３で、矢印Ａに示す方向である。
【００１３】
フラッパ５は、次の構成により、上下回動するように設けられている。
図３に示すように、フラッパ５には、ケーシング８に対する回動支点となる回動支点軸１３・１３が、後端部の左右に設けられている。
図２に示すように、フラッパ５の回動支点軸１３・１３は、給紙ローラ７に対して給紙方向上流側（後側）で、ケーシング８の左右両側壁に軸支されている。そして、フラッパ５の給紙方向下流側端部（前端部）が給紙ローラ７の下方で、上下回動自在となっている。
【００１４】
また、記録紙積載手段であるフラッパ５を、給送手段である給紙ローラ７に向けて付勢する付勢手段として、給紙装置１０には、スプリング９が設けられている。
フラッパ５前端部（給紙方向下流側端部）下面と、ケーシング８の底面との間には、スプリング９が介設されており、フラッパ５の前端部が給紙ローラ７側に付勢されている。一方、フラッパ５前端部は、後述するように、記録紙束１を介して（記録紙束１がない場合は直接）スナバー６・６により上方移動が制止されている。
そして、記録紙１ａが使用される（プリントアウトされる）にしたがい、つまりフラッパ５に積載される記録紙束１の厚みの減少にしたがって、フラッパ５が上方へ移動するものとなっている。
【００１５】
図３に示すように、スナバー６・６は、記録紙１ａ前端の両隅に対応して一対設けられている。各スナバー６には、記録紙束１の上端の隅部を係止する分離爪６ａと、記録紙束１の給紙方向への移動を制止する制止部６ｂとが備えられている。
分離爪６ａは平面視三角形状として記録紙１ａの隅部を係止し、該分離爪６ａを備えるスナバー６・６により、フラッパ５上の記録紙束１を係止して、フラッパ５の上方回動を制止している。
【００１６】
スナバー６の回動の構成について説明する。
図３に示すように、スナバー６・６の回動支点となる回動支点軸５４・５４は、ケーシング８の左右両側壁に軸支されている。
図２に示すように、スナバー６の回動支点となる回動支点軸５４は、フラッパ５の自由端より給紙方向下流側で、ケーシング８の底面上に位置するものとなっている。そして、スナバー６・６の分離爪６ａ・６ａが、給紙ローラ７の直下方部位で、左右回動自在となっている。
つまり、スナバー６の回動支点となる回動支点軸４５は、フラッパ５の回動軌跡よりも給紙方向の下流側（つまり前側、図２、図３における右側）に設けられている。そして、スナバー６を給紙方向で回動自在としている。
【００１７】
また、給紙装置１０には、分離手段としての分離爪６ａ・６ａをフラッパ５側に付勢する第二付勢手段が設けられている。
スナバー６とケーシング８との間には、スナバー６をフラッパ５側へ付勢する手段として、弾性部材であるスプリング５５が設けられている。本実施の形態では、スプリング５５は、ケーシング８の前壁とスナバー６の制止部６ｂとの間に介装されるものとなっているが、フラッパ５側にスプリングを設けてスナバー６をフラッパ５側に付勢する構成としても良い。
ここで、スプリング５５の付勢力は、フラッパ５の上下回動によらず、分離爪６ａ・６ａによる記録紙束１の上面の制止が外れることが無い程度の強さを、少なくとも必要とする。また、スプリング５５の付勢力を、制止部６ｂが記録紙束１の前端に当接する程度の強さとしてもよいが、給紙ローラ７による記録紙１ａの搬送（繰り出し）の抵抗とならない程度の強さとされる。
【００１８】
以上のように、第二付勢手段であるスプリング５５を給紙カセット２に設けることで、分離手段である分離爪６ａ・６ａが常時フラッパ５側へ付勢されて、記録紙束１と分離爪６ａ・６ａとの当接が外れることがない。
このため、スナバー６・６を給紙方向で回動する構成としながら、記録紙束１の制止が確実に行われるものとなっている。
【００１９】
なお、スナバー６をフラッパ５側へ付勢する手段としては、前記スプリング５５等の付勢手段に限定されるものではない。
スナバー６の重心位置の設定により、自重でスナバー６がフラッパ５側に付勢される構成としてもよい。具体的には、スナバー６の回動支点位置に対してスナバー６の重心位置がフラッパ５側に位置するようにして、スナバー６が自重により常時フラッパ５側に付勢されるようにする。
加えて、スナバー６の反フラッパ５側への回動を規制する規制部材をケーシング８に設けることにより、フラッパ５上の記録紙束１からのスナバー６・６の脱落防止を、より強化するようにしてもよい。
【００２０】
また、記録紙束１は、給紙方向下流側（前側）では、制止部６ｂにより制止され、給紙方向上流側（後側）では、記録紙サイズに応じてケーシング８内で固定位置を調整される後端基準板１１により制止される。
後端基準板１１は、該後端基準板１１の上端部が、ケーシング８の底面に立設する支持部材５１に、回動支点軸５２を介して回動自在に設けられている。また、回動支点軸５２の下側で、後端基準板１１と支持部材５１との間には、スプリング５３が設けられており、後端基準板１１は回動支点軸５２回りに回転するように付勢され、フラッパ５上の記録紙束１が制止部６ｂ側に押し出されるようになっている。
また、平面視でフラッパ５の中央には、後端基準板１１および支持部材５１を上下方向に挿通可能とする開口５ｂが形成されている（図３にのみ図示）。
【００２１】
以上のように、給送手段としての給紙ローラ７と、記録紙積載手段としてのフラッパ５および分離手段としての分離爪６ａ・６ａとにより、記録紙束１より一枚ずつ記録紙１ａが分離され、分離された一枚の記録紙１ａが給送される。以下、記録紙１ａの分離及び給送について、具体的に説明する。
【００２２】
まず、左右回動するスナバー６・６（の分離爪６ａ・６ａ）により、フラッパ５上の記録紙束１の上端位置が規制されている。
そして、略半月状とした給紙ローラ７の半円部７ａが下側に向くと、給紙ローラ７（の半円部７ａ）と記録紙束１の最上層（上端位置）の記録紙１ａとが当接する。
前記当接状態で、給紙ローラ７が記録紙１ａに当接して回転すると、記録紙１ａの給紙方向下流側（前側）への移動につれて前記両隅が分離爪６ａよりめくり出されて、記録紙束１の最上層の一枚の原稿だけが給紙装置１０より給紙される。
そして、記録紙１ａの繰り出しによる記録紙束１の厚みの減少分だけ、フラッパ５が上昇する。ここで、記録紙束１の上端はスナバー６・６により規制されるので、記録紙束１の上端位置は、記録紙束１の厚みによらず、分離爪６ａ・６ａの左右回動軌道上に保たれる。
また、給紙ローラ７の半円部７ａが上側に向くと、記録紙束１と給紙ローラ７との当接が解除される。
【００２３】
以上のように、給紙装置１０は、記録紙束１を支持し、回動支点軸１３を中心に回動可能に設けられる記録紙積載手段としてのフラッパ５と、フラッパ５に積載された記録紙１ａを送り出す給送手段としての給紙ローラ７と、フラッパ５を給紙ローラ７に向けて付勢する付勢手段としてのスプリング９と、フラッパ５から送り出された記録紙１ａを一枚ずつ分離する分離手段としての分離爪６ａ・６ａとを備える構成である。
そして、分離手段としての分離爪６ａ・６ａは、記録紙積載手段としてのフラッパ５に連動するように設けられるものとなっている。
【００２４】
以上構成により、記録紙積載手段としてのフラッパ５の回動に応じて、分離手段としての分離爪６ａ・６ａが追従して移動することとなる。そして、フラッパ５と分離爪６ａ・６ａとの離間幅が増大することがなく、フラッパ５の回動位置によらず、記録紙束１上端への分離爪６ａ・６ａの掛かり量が一定に保たれる。また、以上の作用は、給紙カセット２における記録紙の最大積載量によらない。
【００２５】
このため、記録紙の残量に関わりなく、記録紙の最大積載量によらず、給紙不良が発生せず、良好に記録紙を給紙することが可能となる。
【００２６】
また、分離手段としての分離爪６ａ・６ａは、前記ケーシング８に回動可能に設けられる爪部材となっている。ここで爪部材とは、記録紙束１の隅部を係止する作用を有する部材であることを指している。
そして、分離手段としての分離爪６ａ・６ａと、記録紙積載手段としてのフラッパ５とを連動させる構成において、フラッパ５の回動方向と分離爪６ａ・６ａの回動方向とが対向するように、分離爪６ａ・６ａが給紙装置１０内に配置されるものとなっている。
【００２７】
以上構成により、フラッパ５が記録紙１の減少に応じて上方に回動すると、分離爪６ａ・６ａがフラッパ５の上端を押さえ込むように移動するものとなる。
このため、フラッパ５と分離爪６ａ・６ａとの離間幅が増大することがない。
【００２８】
そして、分離手段としての分離爪６ａ・６ａと、記録紙積載手段としてのフラッパ５とを連動させる構成は、具体的には、次のように構成されるものとなっている。
フラッパ５を上下回動自在かつ給紙ローラ７の位置する上側に付勢するように設けると共に、スナバー６・６を給送方向で回動自在かつフラッパ５側に付勢するように設けるものとしている。
【００２９】
以上構成により、フラッパ５が上方へ回動すると、記録紙束１を介して、フラッパ５前端部と分離爪６ａ・６ａとが平行となるように、スナバー６・６がフラッパ５側に回動する。そして、フラッパ５の回動位置によらず、記録紙束１上端への分離爪６ａ・６ａの掛かり量が一定に保たれるものとなる。
同時に、フラッパ５が上下回動しても、フラッパ５端部とスナバー６の制止部６ｂとの離間幅が拡大することがない。
【００３０】
次に、第二の実施の形態である給紙装置について説明する。
第二の実施の形態における給紙装置は、前記第一の実施の形態である給紙装置１０と比較して、前記分離手段である分離爪と前記記録紙積載手段であるフラッパ５との連動構成が相違するものとなっている。
より詳しくは、両実施の形態においては、分離爪が形成されるスナバーのケーシング８に対する支持構成が相違する。
以下での第二の実施の形態の給紙装置に関する説明において、前記給紙装置１０と同一の部材に関しては同符号を用いると共に、その部分に関する説明を省略する。
【００３１】
第二の実施の形態である給紙装置は、記録紙束１を収納する給紙カセット１０２と、給紙カセット１０２を装着するカセット受け３とからなる。
【００３２】
図５に示すように、給紙カセット１０２のケーシング１０８内には、記録紙積載手段としてのフラッパ５と、フラッパ５に積載された記録紙１ａを送り出す給送手段としての給紙ローラ７と、フラッパ５を給紙ローラ７に対して付勢する付勢手段としてのスプリング９と、フラッパ５から送り出された記録紙１ａを一枚ずつ分離する分離手段としての分離爪１０６ａ・１０６ａとが備えられている。
【００３３】
分離手段としての分離爪１０６ａ・１０６は、スナバー１０６に形成されるものとなっている。スナバー１０６はフラッパ５の前側に設けられ、スナバー１０６の上端部左右に分離爪１０６ａ・１０６ａが形成され、分離爪１０６ａ・１０６ａが、最上位の記録紙束１の前端両隅部を押圧する。
【００３４】
スナバー１０６は、フラッパ５の前側よりフラッパ５側（後側）へ付勢されるように設けられている。特に、スナバー１０６上端に形成される分離爪１０６ａ・１０６ａが常時、フラッパ５上の記録紙束１の前端両隅部を係止するように、スナバー１０６は下向きにも付勢されるものとなっている。
【００３５】
具体的には、スナバー１０６の支持構成は次のようなものとなっている。
スナバー１０６と、ケーシング１０８の前内壁との間には、付勢手段としてのスプリング１５５・１５５・・・が複数個介装される。そして、スナバー１０６がフラッパ５側へ付勢されるものとなっている。
複数のスプリング１５５は、少なくとも上下方向で二つは設けられており、上側のスプリング１５５は下側のスプリング１５５よりもスナバー１０６に及ぼす付勢力が大となるようにされている。そして、スナバー１０６が下側にも付勢されるようにしている。
また、スナバー１０６の左右両端は、ケーシング１０８の左右両内壁に接触するように設けられて、スナバー１０６の左右動が規制されるものとされている。
【００３６】
そして、分離手段としての分離爪１０６ａ・１０６ａが、記録紙積載手段としてのフラッパ５に連動するように設けられるものとなっている。
【００３７】
以上構成により、記録紙積載手段としてのフラッパ５の回動に応じて、分離手段としての分離爪６ａ・６ａが追従して移動することとなる。そして、フラッパ５と分離爪６ａ・６ａとの離間幅が増大することがなく、フラッパ５の回動位置によらず、記録紙束１上端への分離爪６ａ・６ａの掛かり量が一定に保たれる。また、以上の作用は、給紙カセット２における記録紙の最大積載量によらない。
【００３８】
このため、記録紙の残量に関わりなく、記録紙の最大積載量によらず、給紙不良が発生せず、良好に記録紙を給紙することが可能となる。
【００３９】
【発明の効果】
記録紙の残量に関わりなく、記録紙の最大積載量によらず、給紙不良が発生せず、良好に記録紙を給紙することが可能となる。
【図面の簡単な説明】
【図１】給紙装置１０を付設したファクシミリ機４０を示す斜視図である。
【図２】第一の実施の形態における給紙カセット２の満紙状態を示す側面断面図である。
【図３】記録紙１ａを係止する分離爪６ａ・６ａを示す平面図である。
【図４】減紙状態の給紙カセット２を示す側面断面図である。
【図５】第二の実施の形態における給紙カセット１０２の満紙状態を示す側面断面図である。
【図６】従来の給紙カセット２２における満紙状態を示す側面断面図である。
【図７】特許文献１に開示される給紙カセットの側面断面図である。
【符号の説明】
１  記録紙束
１ａ  記録紙
４  分離給紙手段
５  フラッパ
６  スナバー
６ａ  分離爪
６ｂ  制止部
７  給紙ローラ
１０  給紙装置
１３  回動支点軸
５４  回動支点軸
５５  スプリング
【図１】
2004269139.tif 000003
【図２】
2004269139.tif 000004
【図３】
2004269139.tif 000005
【図４】
2004269139.tif 000006
【図５】
2004269139.tif 000007
【図６】
2004269139.tif 000008
【図７】
2004269139.tif 000009